(57)【要約】【課題】  価格表示が残らず、かつ、外観から電池切れか否かを知ることのできるＥＳＬシステムを提供する。【解決手段】  商品の価格に関する価格情報と該価格情報とは異なる商品に関する商品情報とを表示する電子棚札１４として、バッテリ２９で動作する双安定型表示器２１が採用されると共に、電子棚札１４のバッテリ２９の電力残容量が所定の閾値よりも大きいときに、価格情報および商品情報を表示し、バッテリ２９の電力残容量が表示を書き換え可能で、かつ、前記閾値よりも小さくなったときに、価格情報を消去すると共に、商品情報を表示するようにしたことを特徴とする。【選択図】        図４
2006091984.tif 000002
【特許請求の範囲】
【請求項１】
商品の価格に関する価格情報と該価格情報とは異なる商品に関する商品情報とを表示する電子棚札として、バッテリで動作する双安定型表示器が採用されると共に、
前記電子棚札のバッテリの電力残容量が所定の閾値よりも大きいときに、前記価格情報および商品情報を表示し、
バッテリの電力残容量が前記表示を書き換え可能で、かつ、前記閾値よりも小さくなったときに、前記価格情報を消去すると共に、前記商品情報を表示するようにした電子棚札システム。
【請求項２】
商品の価格に関する価格情報を双安定型表示器に表示するようにした電子棚札システムにおいて、
バッテリの電力残容量が所定の閾値よりも大きいときに、前記価格情報を表示し、
バッテリの電力残容量が前記表示を書き換え可能で、かつ、前記閾値よりも小さくなったときに、前記価格情報を消去すると共に、当該状況に応じた表示を行うようにした電子棚札システム。
【請求項３】
請求項１もしくは２において、複数の前記電子棚札が本部の制御装置に接続されていると共に、該本部の制御装置に本部の表示器が接続され、
前記バッテリの電力残容量が前記閾値よりも小さくなった電子棚札を前記本部の表示器に一覧表示できるようにした電子棚札システム。
【請求項４】
請求項３において、前記電子棚札が表示している商品を、前記一覧表示に表示するようにした電子棚札システム。
【請求項５】
請求項１ないし４のいずれか１項において、前記バッテリの電力残容量を確認する確認手段が、前記電子棚札ごとに設けられている電子棚札システム。
【請求項６】
請求項１ないし５のいずれか１項において、通常価格および特売価格が設定された商品については、通常価格用の表示と特売価格用の表示とが設定可能とされている電子棚札システム。
【発明の詳細な説明】
【技術分野】
【０００１】
本発明は、商品の価格等の情報を商品の売場の近傍において表示する電子棚札システムに関するものである。
【背景技術】
【０００２】
近年、売場に電子棚札システム（以下、ＥＳＬシステムという。）を採用する提案がなされている。かかるＥＳＬシステムでは、売場に設置された各電子棚札が無線の通信手段等を介して本部の制御装置と交信して、表示内容が設定される。こうしたＥＳＬシステムは、バッテリで駆動しており、そのため、電池残量が少なくなったときに、アラームなどで表示するようにしている（特許文献１，２）。
【特許文献１】特開２００１−２５０１６６号
【特許文献２】特開２００１−１９５６６０号
【発明の開示】
【発明が解決しようとする課題】
【０００３】
しかし、前記特許文献１，２の発明は、電池が完全に切れると、アラームの表示自体も消えてしまい、そのため、電子棚札が故障しているのか、あるいは、電池切れなのかが分からなくなる。
【０００４】
一方、前記電子棚札として、いわゆる双安定型表示器を採用することが考えられる。該双安定型表示器は、所定の閾値以上の電圧が印加されることで表示内容を変更することができると共に、電圧無印加で透過率が異なる双安定状態を保持できる液晶表示器で、画面の光を通す状態と光を反射する状態の２つの状態を電力を加えずに安定して維持できる。
【０００５】
かかる表示器によれば、電池が切れても表示内容を半永久的に維持することができる。しかし、電池消耗後にも、古い特売価格が表示されるので、信用の失墜や売場の混乱を招くおそれがある。
【０００６】
したがって、本発明の目的は、価格表示が残らず、かつ、外観から電池切れか否かを知ることのできるＥＳＬシステムを提供することである。
【課題を解決するための手段】
【０００７】
前記目的を達成するために、本第１発明のＥＳＬシステムは、商品の価格に関する価格情報と該価格情報とは異なる商品に関する商品情報とを表示する電子棚札として、バッテリで動作する双安定型表示器が採用されると共に、前記電子棚札のバッテリの電力残容量が所定の閾値よりも大きいときに、前記価格情報および商品情報を表示し、バッテリの電力残容量が前記表示を書き換え可能で、かつ、前記閾値よりも小さくなったときに、前記価格情報を消去すると共に、前記商品情報を表示するようにしたことを特徴とする。
【０００８】
一方、本第２発明のＥＳＬシステムは、商品の価格に関する価格情報を双安定型表示器に表示するようにした電子棚札システムにおいて、バッテリの電力残容量が所定の閾値よりも大きいときに、前記価格情報を表示し、バッテリの電力残容量が前記表示を書き換え可能で、かつ、前記閾値よりも小さくなったときに、前記価格情報を消去すると共に、当該状況に応じた表示を行うようにしたことを特徴とする。
【発明の効果】
【０００９】
第１発明のＥＳＬシステムによれば、価格情報の表示が残らないから、特売期間終了後でも特売価格が表示され続けるといった問題が発生しない。一方、バッテリが切れた後も商品情報は残るので、電子棚札の故障ではなくバッテリ切れであることが分かると共に、商品の内容（たとえば、産地）などを消費者に提示（表示）することができる。すなわち、商品を見れば分かる商品名などの情報以外の商品の情報（産地、生産者名、無農薬、減農薬など）を、そのまま表示し続けることで、消費者に知らせることができる。
【００１０】
第２発明のＥＳＬシステムによれば、価格情報の表示が残らないから、特売期間終了後でも特売価格が表示され続けるといった問題が発生しない。また、バッテリ残容量が少なくなったのに従って所定の表示を行うので、電子棚札の故障ではなくバッテリ切れであることが容易に認識できる。
【発明を実施するための最良の形態】
【００１１】
本発明においては、複数の前記電子棚札が本部の制御装置に接続されると共に、該本部の制御装置に本部の表示器が接続され、前記バッテリの電力残容量が前記閾値よりも小さくなった電子棚札を前記本部の表示器に一覧表示できるようにしてもよい。
こうすれば、各電子棚札のバッテリ切れを本部において知ることができる。
【００１２】
この場合、前記電子棚札が表示している商品を、前記一覧表示に表示するのが好ましい。電子棚札の号機番号を一覧表示しても、当該号機がどこにあるのか直ちに知ることができない場合があり、各電子棚札に対応する商品を表示することで、これを解消することができるからである。
【００１３】
本発明においては、前記バッテリの電力残容量を確認する確認手段が、前記電子棚札ごとに設けられていてもよい。
この態様によれば、バッテリチェックにあたって本部の制御装置と通信する必要がないので、電力を節約することができる。
【００１４】
一方、本発明においては、複数の電子棚札を本部の制御装置に接続し、各電子棚札のバッテリの電力残容量を本部の制御装置に送信して、バッテリ切れであるか否かの判別を前記本部の制御装置で判別してもよい。
【００１５】
本発明において、通常価格および特売価格が設定された商品については、通常価格用の表示と特売価格用の表示とを設定可能としてもよい。
このようにすれば、通常価格と特売価格とで価格以外の表示内容やレイアウトなどを簡便な操作で大幅に変更することができる。
【実施例１】
【００１６】
以下、本発明の実施例１にかかるＥＳＬシステムを図面に従って説明する。
まず、本ＥＳＬシステムおよびこれを含む店舗管理システムの概略を説明する。
図１に示す店舗管理システムは、スーパーマーケット等の店舗において採用される商品管理や売上集計等の一連のデータ処理を行うシステムである。この店舗管理システムは、店舗内に配備されたＬＡＮ（イーサーネット）２に接続されるストアコントローラ３，ＰＯＳシステム４，ＥＳＬシステム１０等を有している。
【００１７】
ストアコントローラ３は、ストアオートメーションサーバーとも呼ばれるもので、店舗管理システム全体の中央制御装置としてＬＡＮ２に接続されている。このストアコントローラ３内には、各商品の商品名や商品価格、各商品に与えられた自社コード（商品コード）等の商品情報から成る商品マスタファイル３ａが存在する。この商品マスタファイル３ａを基に、ストアコントローラ３は商品の価格管理、在庫管理、発注入庫管理、売上管理等の店舗内の各業務に関する管理を行う。店舗がスーパーマーケットチェーンの一店舗であるときには、通常、チェーンの本部から商品マスタファイル３ａが通信によって各店舗のストアコントローラ３に送られてくる。
【００１８】
ＰＯＳシステム４は、主として、ＰＯＳサーバー５と、ＰＯＳターミナルである複数台の電子キャッシュレジスタ（以下、ＥＣＲという。）６とから構成されている。但し、システム構成によっては、ＰＯＳサーバー５の機能をストアコントローラ３に持たせてＰＯＳサーバー５の設置を省略する場合もある。
【００１９】
各ＥＣＲ６は、実際に買い物客が商品の代金を支払うレジに配備され、ＰＯＳサーバー５に接続されている。このＥＣＲ６は、スキャナー（図示せず）で商品に付された自社コード（バーコード）を読取り、その自社コードに関する情報を表示する。前記ＥＣＲ６は、部門別の登録や表示器への表示、プリンタによる印字出力を行うと共に、登録したデータをＰＯＳサーバー５に送信する。ＰＯＳサーバー５は、各ＥＣＲ６からの登録データを集計ファイルに累計し、当該集計ファイルに基づいて商品の売り上げ情報等を管理してストアコントローラ３に送信する。
【００２０】
図１に示すように、ＥＳＬシステム１０は、主として、ＥＳＬサーバー１１（本部の制御装置の一例）と、中継器であるベースステーション１２と、送受信機であるトランシーバー１３と、複数個の電子棚札（以下、ＥＳＬという。）１４とから構成されている。
【００２１】
ＥＳＬサーバー１１は、店舗内の本部（バックルーム）に設置されており、ＥＳＬシステム１０を制御する制御装置である。該ＥＳＬサーバー１１は、前記ベースステーション１２およびトランシーバー１３を介して、無線により各ＥＳＬ１４と接続されている。
【００２２】
トランシーバー１３は、ＥＳＬ１４への送信機能とＥＳＬ１４からのフィードバック信号の受信機能とを併せ持った無線交信機である。トランシーバー１３は、前記ＥＳＬサーバー１１が有する後述の商品情報を、赤外線などを利用して無線により各ＥＳＬ１４に送信すると共に、各ＥＳＬ１４からのフィードバック信号を受信してＥＳＬサーバー１１に伝える。
【００２３】
ＥＳＬ１４は、店舗内の売場に陳列されている各商品の近傍に配置されており、従来の紙の値札に代わるものである。すなわち、前記各ＥＳＬ１４は、後述するように、商品の価格に関する価格情報や該価格情報とは異なる商品に関する商品情報を表示する。各ＥＳＬ１４の大きさや形状は、売場や商品に応じてある程度選択することが可能とされている。
【００２４】
図２（ａ）に示すように、前記ＥＳＬサーバー１１は、ＣＰＵ４１、ＲＯＭ４２、ＲＡＭ４３およびＨＤＤ（ハードディスク；記憶部）４４を備えている。また、前記ＥＳＬサーバー１１には、図示しないインターフェイスを介して、表示器４５、操作入力部（キーボード）４６およびスキャナー４７等が接続されている。
【００２５】
ＥＳＬシステム１０を立ち上げると、ＥＳＬサーバー１１のＨＤＤ４４には、商品情報ファイル４８が作成される。図２（ｂ）に示すように、該商品情報ファイル４８には、商品に固有の自社コード、各ＥＳＬ１４に固有のＥＳＬコード、商品の品名、商品の通常価格、特売のときの商品の特売価格、商品の特売期間およびＥＳＬ１４の表示内容（レイアウト）の選択No. などが各商品毎に互いに関連付けられて記憶される。この商品情報ファイル４８は、ストアコントローラ３の商品マスタファイル３ａから得られる情報及びＰＯＳサーバー５の実売価データから得られる情報を基に作成される。
【００２６】
前記商品情報ファイル４８は、図１のストアコントローラ３の商品マスタファイル３ａが更新される度に、その更新情報を基にして更新される。すなわち、特売期間になると、あるいは、特売期間が終了して商品の情報が商品マスタファイル３ａにおいて更新されると、それに従って、ＥＳＬサーバー１１の商品情報ファイル４８も自動的に更新される。商品情報ファイル４８の情報が更新されると、ＥＳＬサーバー１１は、ベースステーション１２及びトランシーバー１３を介して、該当する各ＥＳＬ１４に対して商品情報の変更を送信する。
【００２７】
後述するように、商品情報を受信したＥＳＬ１４は、当該商品情報に基づいた表示を行う。このＥＳＬ１４の表示内容は、通常価格および特売価格が設定された商品については、図３（ｂ）の通常価格用の表示と図４（ａ）の特売価格用の表示とが予めＥＳＬサーバー１１に設定登録されており、前記商品情報ファイル４８の「表示内容の選択No. 」を指定することで、それぞれ、切換設定可能とされている。したがって、通常価格での販売時と特売価格での販売時とで価格以外の表示内容やレイアウトなどを簡便な操作で容易に変更することができる。
【００２８】
つぎに、本発明の要部であるＥＳＬ１４について詳しく説明する。
図３（ａ）に示すように、前記ＥＳＬ１４は、ＣＰＵ２０、双安定型表示器２１、無線受信部２２、無線送信部２３、送受信回路２４、メモリ２５およびバッテリ監視回路（確認手段の一例）などを有している。また、ＥＳＬ１４には、バッテリ２９が内蔵されており、該バッテリ２９から供給される電力によりＥＳＬ１４は作動する。
【００２９】
ＥＳＬ１４は、表示機能の他、受信機能、比較機能、及び送信機能などを備え、ＣＰＵ２０がこれらの機能を制御する。メモリ２５には、各ＥＳＬ１４に固有のＥＳＬコードが記憶されている。前記ＣＰＵ２０は、無線受信部２２により受信したトランシーバー１３からの商品情報に含まれるＥＳＬコードと、自己に設定されたＥＳＬコードとを比較し、両者が一致したときに受信した価格情報や商品情報等を更新して双安定型表示器２１に表示させる。この場合、以前に表示されていた商品情報はクリアされて、新たな商品情報が前記メモリ２５に記憶される。また、トランシーバー１３からの商品情報を受信して表示を更新した後に、ＥＳＬ１４は無線送信部２３からトランシーバー１３に向けて正常に処理が終了したことを示すフィードバック信号を送信する。
【００３０】
双安定型表示器２１は、たとえば、コレステリック液晶や電子ペーパーなどの双安定性を有するデバイスを用いて構成されている。したがって、該双安定型表示器２１は、一度画面に描いた文字や図形の表示を維持するための電力を必要としないので、低消費電力での動作が可能とされている。
【００３１】
図４（ａ）に示すように、前記双安定型表示器２１は、前記ＥＳＬサーバー１１から受け取った商品情報に基づいて、商品の価格に関する価格情報と、該価格情報以外の商品に関する商品情報とを表示する。
前記価格情報としては、たとえば、第１〜第３価格情報３１〜３３が表示される。第１価格情報３１としては商品の実売価格（特売価格）を表示する。第２価格情報３２としては商品の通常価格を表示する。第３価格情報３３としては、第２価格情報３２の表示が通常価格であることを表す「通常価格」という文字を表示する。
【００３２】
前記価格情報以外の商品情報としては、たとえば、第１〜第３商品情報が表示される。第１商品情報３４としては商品の限定数を表示する。第２商品情報３５としては商品名を表示する。第３商品情報３６としては特売等の商品に関してＰＯＰ広告を表示する。
なお、その他の商品情報として、重量や個数で価格が決まる商品の場合、商品の重量毎または個数毎の単価を表示するようにしてもよい。
【００３３】
図３（ａ）の前記バッテリ監視回路２６は、前記ＥＳＬ１４ごとに設けられており、前記各ＥＳＬ１４のバッテリ２９の電力残容量を確認するものである。バッテリ監視回路２６は、バッテリ２９の電力残容量を所定の間隔で検出して、バッテリ２９の電力残容量が所定の閾値よりも少なくなったときに、その検出結果をＣＰＵ２０に送信し、バッテリ２９の電力残容量が十分である（前記閾値よりも多い）ときには、その結果をＣＰＵ２０に送信しない。このように、バッテリ監視回路２６をＥＳＬ１４ごとに設けることで、バッテリチェックの度ごとにＥＳＬサーバー１１と通信する必要がないので、電力を節約することができる。
なお、バッテリの電力残容量の確認方法については、たとえば、前記特許文献１の段落（００１５）〜（００２６）および図２、特許文献２に開示されている方法を採用することができる。
【００３４】
つぎに、ＥＳＬ１４の動作について説明する。
前記バッテリ監視回路２６による確認の結果、バッテリ２９の電力残容量が所定の閾値よりも大きいときには、ＣＰＵ２０は、受信した商品情報に基づいて、前記第１〜第３価格情報３１〜３３および第１〜第３商品情報３４〜３６を前記双安定型表示器２１に表示する。
【００３５】
一方、前記バッテリ監視回路２６による確認の結果、バッテリ２９の電力残容量が前記双安定型表示器２１の表示を書き換え可能で、かつ、前記閾値よりも小さくなったときに、ＣＰＵ２０は、図４（ｂ）のように、前記第１〜第３価格情報３１〜３３を消去する。これにより、バッテリ２９の電力残容量が無くなり前記双安定型表示器２１の表示を書き換え不可能な状態となっても、価格情報が残らないから、誤った価格情報を消費者に提供するおそれがない。
【００３６】
また、このとき、ＣＰＵ２０は、前記第１〜第３価格情報３１〜３３を消去すると共に、前記第１〜第３商品情報３４〜３６のうちの一部を、前記双安定型表示器２１に表示したまま残す。これにより、店舗の従業員やシステムの管理者に対して、ＥＳＬ１４の故障ではなくバッテリ切れであることを知らせることができると共に、バッテリが切れた後でも、商品の内容（たとえば、商品名や生産者、産地など）を消費者に提示できるメリットがある。特に、商品の価格以外の情報であって、かつ、商品を見ても直ちに知ることのできない産地、生産者名、無農薬、減農薬、有機栽培などの商品の情報を表示し続けることで、これを消費者に知らせることができる。
【００３７】
ＣＰＵ２０は、前述のようにバッテリ２９の電力残容量が前記閾値よりも小さくなったときには、その旨を自己のＥＳＬコードと共に、無線により図１のＥＳＬサーバ１１に送信する。ＥＳＬサーバ１１は、受信したＥＳＬコードに対応する商品情報を図２（ａ）の商品情報ファイル４８の中から検索して、図２（ｃ）のように、当該ＥＳＬコードを含む商品情報を表示器４５に一覧表示する。これにより、バッテリ切れのＥＳＬ１４を本部において把握することができる。
【００３８】
しかも、ＥＳＬコードと共に該ＥＳＬコードに対応した商品名や部門（野菜コーナー、鮮魚コーナーなど）、店舗名などの商品が販売されている場所が分かる商品情報も表示されるから、当該ＥＳＬ１４がどこに設置されているのかを直ちに知ることができ、バッテリ交換などのメンテナンスが容易になる。
【００３９】
なお、バッテリ２９の電力残容量が前記双安定型表示器２１の表示を書き換え可能で、かつ、前記閾値よりも小さくなった場合、前記価格情報３１〜３３を消去すると共に、当該状況に応じた表示を行うようにしてもよい。たとえば、図４（ｃ）に示すように、前記価格情報３１〜３３の代わりに、バッテリ切れを示すマーク３７を表示するようにすれば、ＥＳＬ１４の故障ではなくバッテリ切れであることが明確に分かる。
また、前記マーク３７の代わりに「バッテリを交換して下さい」のように文字によるメッセージを表示したり、消費者が見て不快感を覚えない絵や模様などを表示するようにしてもよい。
【００４０】
ところで、複数の店舗を有するチェーンの場合、前記ＥＳＬサーバー１１を各店舗内の本部ではなく複数の店舗をとりまとめるチェーン本部に設置したり、あるいは、各店舗内のＥＳＬサーバー１１を統括する上位の制御装置をチェーン本部に設置してもよい。したがって、本発明における「本部の制御装置」とは、各店舗内の本部に設置された制御装置およびチェーン本部に設置された制御装置のいずれであってもよく、バッテリ切れのＥＳＬ１４をチェーン本部の制御装置に接続された表示器に一覧表示するようにしてもよい。
【産業上の利用可能性】
【００４１】
本発明は、スーパーマーケットやコンビニエンスストアなどの販売店舗において主に採用されるＥＳＬシステムに適用することができる。
【図面の簡単な説明】
【００４２】
【図１】本発明の実施例１のＥＳＬシステムを含む店舗管理システムの概略構成図である。
【図２】（ａ）は同ＥＳＬシステムの制御装置を示す概略構成図、（ｂ）は商品情報ファイルの記憶内容を示す図表、（ｃ）はバッテリ切れのＥＳＬを一覧表示する表示画面を示す概念図である。
【図３】（ａ）はＥＳＬを示す概略構成図、（ｂ）はＥＳＬの通常価格用の表示画面を示す正面図である。
【図４】（ａ）は特売価格用の表示画面を示す正面図、（ｂ）および（ｃ）はバッテリ切れの場合の表示画面を示す正面図である。
【符号の説明】
【００４３】
１１：ＥＳＬサーバー（本部の制御装置）
１４：ＥＳＬ（電子棚札）
２１：双安定型表示器
２６：バッテリ監視回路（確認手段）
２９：バッテリ
３１〜３３：価格情報
３４〜３６：商品情報
４５：本部の表示器
【図１】
2006091984.tif 000003
【図２】
2006091984.tif 000004
【図４】
2006091984.tif 000005
【図３】
2006091984.tif 000006